(57)【要約】【課題】締付リングの軸方向長さを短縮することで、各クリップユニットが一列に整列して収容される挿入部を容易に屈曲可能にし、挿入部の柔軟性を向上させ、体腔内に挿入する際の湾曲操作性、体腔内管路への形状追従性を向上できるようにした結紮装置およびこれに用いるクリップユニットを提供する。【解決手段】クリップユニット１３は、生体組織を結紮可能な一対の腕部４１、及び該腕部４１の基端を連結する基端部３９を有するクリップ本体３５と、クリップ本体３５を収容する締付リング３７とを備え、外シース部材１９の遠位端内部で直列に複数配置される。複数のクリップユニット１３のうち、外シース部材１９の遠位端側となる先頭クリップユニット１３Ａのクリップ本体３５の基端部３９は、隣接する後方のクリップユニット１３Ｂのクリップ本体３５の腕部４１，４１内へ相互に重なり合って挿入される。【選択図】図１２
2012065835.tif 000002
【特許請求の範囲】
【請求項１】
生体組織を結紮する結紮装置であって、
可撓性を有する管状の外シース部材と、
前記外シース部材内に進退自在に設けられ、先端に当接面を有する管状の内シース部材と、
前記内シース部材内に進退自在に設けられた操作ワイヤと、
前記外シース部材の遠位端内部で直列に複数配置されたクリップユニットと、
を備え、
前記クリップユニットは、互いに拡開付勢された一対の腕部、及び該腕部の基端を連結する基端部を有して生体組織を結紮するクリップ本体と、
前記クリップ本体の基端部が筒状体内部に挿入されて前記一対の腕部を閉成する締付リングと、を有し、
前記締付リングは、軸方向に沿って形成される複数のスリットを有し、
前記複数のクリップユニットのうち、前記外シース部材の遠位端側となる先頭クリップユニットに隣接する後方クリップユニットの前記クリップ本体の一対の腕部が、前記スリットに挿入されて、
前記先頭クリップユニットの前記クリップ本体の前記基端部が、該先頭クリップユニットに隣接する前記後方クリップユニットの前記クリップ本体の腕部内へ相互に重なり合って挿入される結紮装置。
【請求項２】
請求項１記載の結紮装置であって、
前記後方クリップユニットのクリップ本体の腕部を前記先頭クリップユニットの締付リングに挿入した状態で、
前記後方クリップユニットのクリップ本体における前記腕部の先端開口幅が、前記先頭クリップユニットのクリップ本体の基端部が挿通可能な長さにされた結紮装置。
【請求項３】
請求項１又は請求項２記載の結紮装置であって、
前記複数のクリップユニットのうち、前記外シース部材の遠位端側となる先頭クリップユニットが前記操作ワイヤに接続され、該操作ワイヤの牽引により前記先頭クリップユニットとは反対側の末端クリップユニットが前記内シース部材の当接面に当接すると共に、隣接する前記締付リングの端面同士が互いに当接する結紮装置。
【請求項４】
請求項１〜請求項３のいずれか１項記載の結紮装置であって、
前記操作ワイヤが先端にループ部を有し、
前記ワイヤ係止手段が、前記クリップ本体の基端部から前記締付リングの挿入方向後方に向けて外側へ傾斜して延設された係止爪と、
前記係止爪に掛けられた前記操作ワイヤのループ部が前記係止爪から抜け落ちることを防止する抜け止め部と、を有する結紮装置。
【請求項５】
請求項１〜請求項４のいずれか１項記載の結紮装置であって、
前記クリップ本体の一対の腕部が、該腕部の拡開方向に直交する方向に所定幅を有する板状片で形成され、
前記締付リングが、該締付リング内に挿入される前記腕部の外側面に当接して前記クリップ本体の回転を規制する一対のクリップ当接部を有する結紮装置。
【請求項６】
請求項５記載の結紮装置であって、
前記締付リングのクリップ当接部が、前記クリップ本体の腕部の外側面に当接する平坦面を有する結紮装置。
【請求項７】
請求項５又は請求項６記載の結紮装置であって、
前記クリップ本体の腕部が、該腕部の先端側に段部を有して前記所定幅より幅広に形成された先端幅広部を備え、
前記締付リングのクリップ当接部が、前記所定幅より広く、前記先端幅広部の幅より狭い間隔で、前記クリップ当接部から前記締付リング内側に向けて突設された一対のガイド片を有し、
前記一対のガイド片の間に前記クリップ本体の腕部がクリップ長手方向に進退自在に挿通されて、前記段部が前記ガイド片に当接する結紮装置。
【請求項８】
請求項１〜請求項７のいずれか１項記載の結紮装置に用いるクリップユニット。
【発明の詳細な説明】
【技術分野】
【０００１】
本発明は、生体組織を結紮する結紮装置及びこれに用いるクリップユニットに関する。
【背景技術】
【０００２】
生体組織を結紮するための結紮装置として、例えば、挿入部を内視鏡の鉗子口から挿入して体腔内に導き、挿入部先端に配置されたクリップを、腕部を拡開させて所望の生体組織の位置に合わせ、クリップに接続された操作ワイヤを牽引操作することにより、クリップの腕部を閉じて生体組織を結紮するものが知られている（例えば特許文献１参照）。
【０００３】
特許文献１の生体組織の結紮装置は、体腔内に挿入される挿入部と、挿入部内に進退自在に挿通される操作ワイヤと、操作ワイヤに接続されて挿入部の先端部に装填される複数のクリップとを有して構成されている。この結紮装置は、操作ワイヤの牽引によって、クリップが生体組織を挟み込んだ状態で体腔内に留置される仕組みになっており、先頭クリップから順次に結紮に供される、連続結紮を可能にしている。
この種の連続結紮を行う結紮装置においては、挿入部内に複数のクリップが一列に整列配置されているため、クリップが収容される領域の軸方向長さが必然的に長くなる。そのため、クリップの存在する挿入部の領域では湾曲剛性が増大するため、体腔内における湾曲性が低下する。また、挿入部内に配置される複数のクリップは、挿入部内壁に当接した状態で配置されており、挿入部を湾曲させながら体腔内に挿入すると、クリップが挿入部内壁からの外力を受けて損傷する虞がある。そのため、複数のクリップをできるだけ挿入部の軸方向長さの短い領域内に収容させることが望まれている。
【先行技術文献】
【特許文献】
【０００４】
【特許文献１】特許第４０５９６５６号公報
【発明の概要】
【発明が解決しようとする課題】
【０００５】
本発明は、締付リングの軸方向長さを短縮することで、各クリップユニットが一列に整列して収容される挿入部を容易に屈曲可能にし、挿入部の柔軟性を向上させ、体腔内に挿入する際の湾曲操作性、体腔内管路への形状追従性を向上できるようにした結紮装置及びこれに用いるクリップユニットを提供することを目的とする。
【課題を解決するための手段】
【０００６】
本発明は、下記構成からなる。
生体組織を結紮する結紮装置であって、
可撓性を有する管状の外シース部材と、
前記外シース部材内に進退自在に設けられ、先端に当接面を有する管状の内シース部材と、
前記内シース部材内に進退自在に設けられた操作ワイヤと、
前記外シース部材の遠位端内部で直列に複数配置されたクリップユニットと、
を備え、
前記クリップユニットは、互いに拡開付勢された一対の腕部、及び該腕部の基端を連結する基端部を有して生体組織を結紮するクリップ本体と、
前記クリップ本体の基端部が筒状体内部に挿入されて前記一対の腕部を閉成する締付リングと、を有し、
前記締付リングは、軸方向に沿って形成される複数のスリットを有し、
前記複数のクリップユニットのうち、前記外シース部材の遠位端側となる先頭クリップユニットに隣接する後方クリップユニットの前記クリップ本体の一対の腕部が、前記スリットに挿入されて、
前記先頭クリップユニットの前記クリップ本体の前記基端部が、該先頭クリップユニットに隣接する前記後方クリップユニットの前記クリップ本体の腕部内へ相互に重なり合って挿入される結紮装置。
【発明の効果】
【０００７】
本発明に係る結紮装置及びこれに用いるクリップユニットによれば、締付リングの軸方向長さを短縮することで、各クリップユニットが一列に整列して収容される内視鏡挿入部が容易に屈曲可能となり、内視鏡挿入部の柔軟性を向上できる。これにより、体腔内に挿入する際の湾曲操作性、体腔内管路への形状追従性を向上することができる。
【図面の簡単な説明】
【０００８】
【図１】本発明の実施形態を説明するための図で、一部を切り欠いて示す結紮装置の全体構成図である。
【図２】図１に示した結紮装置の手元操作部の断面図である。
【図３】図１に示したクリップユニットの分解斜視図である。
【図４】（Ａ）は図３に示したクリップ本体の側面図、（Ｂ）は平面図である。
【図５】（Ａ）は図３のＡ‐Ａ線断面図、（Ｂ）はＢ‐Ｂ線断面図である。
【図６】（Ａ）は組み付け前のクリップ本体、締付リング、及び操作ワイヤの要部断面図、（Ｂ）はクリップ本体が締付リングに挿入される要部断面図、（Ｃ）は操作ワイヤをクリップ本体のワイヤ係止手段に係止する途中の要部断面図、（Ｄ）は操作ワイヤのループ部がクリップ本体のワイヤ係止手段に係止した状態を示す要部断面図である。
【図７】（Ａ）は導入管内に装着されたクリップユニットの要部断面図、（Ｂ）は導入管を後退させてクリップ本体の腕部が開成した要部断面図、（Ｃ）は操作ワイヤの繰り出し操作、及び牽引操作によりクリップ本体の腕部が開閉する状態を示す要部断面図である。
【図８】外シース部材内に複数のクリップユニットが装填された結紮装置の垂直断面図（Ａ）と水平断面図（Ｂ）である。
【図９】外シース部材を除いて示す図８の結紮装置の斜視図である。
【図１０】（Ａ）は結紮前の結紮装置の斜視図、（Ｂ）は操作ワイヤで牽引されて先端に配置されるクリップ本体の腕部が閉成した状態を示す斜視図、（Ｃ）は先端のクリップ本体の係止爪が塑性変形を開始する状態を示す斜視図、（Ｄ）は係止爪が塑性変形し、クリップ本体とループ部との係止が解除された状態を示す斜視図、（Ｅ）はループ部が次のクリップ本体の抜け止め部で案内されてワイヤ係止手段に誘導される状態を示す斜視図、（Ｆ）は操作ワイヤのループ部が次のクリップ本体のワイヤ係止手段と係止して、先端のクリップユニットが分離する状態を示す斜視図である。
【図１１】操作ワイヤで牽引された先端のクリップ本体の基端部が、後段のクリップ本体の一対の腕部間に挿入された状態を示す要部断面図である。
【図１２】締付リングに挿入されたクリップ本体の腕部の開口幅と、クリップ本体の基端部の幅との寸法関係を示す要部断面図である。
【図１３】図３のクリップユニットの要部拡大斜視図である。
【図１４】（Ａ）は外シース部材内に収容され腕部が閉成した状態のクリップ本体の断面図、（Ｂ）は外シース部材が後退してクリップ本体の腕部が開成した状態を示す断面図、（Ｃ）は外シース部材が前方に移動して一対の腕部により生体組織を仮止めした状態を示す断面図である。
【図１５】クリップユニットの外観斜視図である。
【図１６】図１５のＣ‐Ｃ線断面図である。
【図１７】他の構成例を説明するための図で、直列に配列された複数のクリップユニットを外シース部材を除いて示す平面図である。
【図１８】図１７の結紮装置が屈曲する状態を示す平面図である。
【図１９】締付リングの屈曲方向を交互に９０度異ならせて配列したクリップユニットの斜視図である。
【図２０】複数のクリップユニットの腕部の拡開方向を９０°異ならせて一列に整列させた状態を示す斜視図である。
【図２１】図２０の締付リング及びクリップ本体の斜視図である。
【図２２】図２１のクリップ本体の（Ａ）はクリップ本体の平面図、（Ｂ）は正面図、（Ｃ）は側面図である。
【発明を実施するための形態】
【０００９】
以下、本発明の実施形態について、図面を参照して詳細に説明する。
図１は本発明の実施形態を説明するための図で、一部を切り欠いて示す結紮装置の全体構成図、図２は手元操作部の断面図である。
結紮装置１００は、クリップ操作装置１１と、このクリップ操作装置１１に装填されるクリップユニット１３を有して構成される。クリップ操作装置１１は、図示しない内視鏡のチャンネル内に挿入されて体腔内に挿入される挿入部１５と、挿入部１５の基端側の手元操作部１７とを有する。挿入部１５は、高密度ポリエチレンチューブ等で作られた導入管である外シース部材１９と、外シース部材１９内に進退自在に挿通される内シース部材２１と、内シース部材２１内に進退自在に挿通される操作ワイヤ２３と、を有する。
【００１０】
内シース部材２１は、ばね性を有する線材を密巻きした可撓性を有するコイルシースで構成される。操作ワイヤ２３は、ステンレス、ＮｉＴｉ合金等の適度な弾性を有する金属撚り線で形成され、必要に応じて、その外周を高密度ポリエチレンで被覆してもよく、内シース部材２１との摺動性を向上させるためのシリコンオイルを塗布してもよい。操作ワイヤ２３の、手元操作部１７側とは反対側となる遠位端側の先端には、環状のループ部７１が設けられている。
【００１１】
クリップユニット１３は、筒状体に形成される締付リング３７と、この締付リング３７の筒状体内部に挿入されるクリップ本体３５とを備え、外シース部材１９の遠位端から軸方向に沿って直列に複数配置されている。複数のクリップユニット１３は、遠位端とは反対側となる末端のクリップユニットが、締付リング３７のクリップ本体３５の挿入側とは反対の後方端部を、内シース部材２１の遠位端の先端面に突き当てられている。
【００１２】
手元操作部１７は、外シース部材１９の基端側を固定した外シース接続体２５と、内シース部材２１の基端側を固定した操作部本体２７と、操作部本体２７に対して進退自在に配され、操作ワイヤ２３に接続されたスライダー２９と、操作部本体２７に接続された指掛けリング３３とを備える。この手元操作部１７は、外シース接続体２５と操作部本体２７とを相対的に移動することによって外シース部材１９と内シース部材２１との相対位置を調整し、操作部本体２７とスライダー２９とを相対的に移動することによって内シース部材２１と操作ワイヤ２３に接続されたクリップユニット１３との相対位置を調整する。
【００１３】
クリップ操作装置１１は、外シース接続体２５を固定した状態で操作部本体２７を前方に押すと、遠位端では外シース部材１９が内シース部材２１に対して相対的に後方に移動し、逆に操作部本体２７を後方に引き込むと、遠位端では外シース部材１９が内シース部材２１に対して相対的に前方に移動する。また、スライダー２９を指掛けリング３３から離間する方向に移動させると、内シース部材２１から操作ワイヤ２３が突出する方向に移動し、逆にスライダー２９を指掛けリング３３に近づけると、操作ワイヤ２３が内シース部材２１内に引き込まれる方向に移動する。外シース部材１９の遠位端に装填されたクリップユニット１３は、操作ワイヤ２３によって保持されており、詳細は後述するが、操作ワイヤ２３の牽引によってクリップ操作装置１１から離脱するようになっている。
【００１４】
＜クリップユニット＞
次に、クリップユニット１３の構成を詳細に説明する。
図３にクリップユニットの分解斜視図を示した。クリップユニット１３は、締付リング３７と、この締付リング３７の筒状体内部に挿入されるクリップ本体３５とを備える。クリップ本体３５は、互いに拡開付勢された一対の腕部４１と、腕部４１の基端を連結する基端部３９を有し、腕部４１によって生体組織を把持するものである。このクリップ本体３５は、ステンレス等のバネ性を有する帯状の金属板材を略Ｕ字型に折り曲げて形成される。締付リング３７は、ステンレス等の金属材料からなる円筒形状の部材で、内部に操作ワイヤ２３が挿通される。このクリップ本体３５は、操作ワイヤ２３のループ部７１がクリップ本体３５の一部に係止された状態で締付リング３７内に基端側が収容される。
【００１５】
＜クリップ本体＞
クリップ本体３５は、図４（Ａ）にクリップ本体の側面図、（Ｂ）に平面図を示す。クリップ本体３５は、その基端部３９に、係止爪４３及び抜け止め部４５からなるワイヤ係止手段を有する。ワイヤ係止手段は、操作ワイヤ２３のループ部７１を係止する。係止爪４３は、基端部３９の底部３９ａにおける腕部４１の幅方向両脇側から、腕部４１に向けて外側へ拡がるように傾斜してそれぞれ延設されている。つまり、係止爪４３は、クリップ本体３５の基端部３９から締付リング３７への挿入方向とは反対方向に向けて、締付リング３７の半径方向外側に傾斜して延設されている。この係止爪４３は、係止爪４３を塑性変形させるのに要する力が、クリップ本体３５を締付リング３７内に引き込む力より大きくなる程度に狭幅にされた板状体である。
【００１６】
抜け止め部４５は、クリップ本体３５の基端部３９における係止爪４３との接続位置より腕部４１側に離間した位置から係止爪４３に向けて突設される突起部であり、係止爪４３に向けた突出高さがクリップ本体３５の締付リング３７への挿入方向に向けて漸増する傾斜面４５ａを有する。これにより、係止爪４３と、抜け止め部４５の基端部３９側の側面４５ｂと、基端部３９の幅方向側面によって、操作ワイヤ２３のループ部７１を係止する隙間４７が画成される。抜け止め部４５の突出先端と係止爪４３間の隙間は、操作ワイヤ２３の直径より小さくされており、詳細は後述するが、操作ワイヤ２３のループ部７１が係止爪４３を弾性変形させて隙間４７に入り込むと、この隙間４７から操作ワイヤ２３のループ部７１が抜け落ちることを防止する構成となっている。
【００１７】
なお、図示例では係止爪４３、抜け止め部４５を上下一対形成しているが、片側だけに形成したものであってもよい。また、図示例のように係止爪４３、抜け止め部４５をクリップ本体３５に上下一対形成すると共に、更に操作ワイヤ２３のループ部７１を２つ形成しておき、２つのループ部を上下２つの係止爪４３にそれぞれに個別に係止する構成としてもよい。その場合、操作ワイヤ２３の牽引力が偏ることなく、クリップ本体３５を安定して移動させることができる。
【００１８】
一対の腕部４１は、対称に対向配置され、バネ性を有する帯状の金属板状部材であり、基端部３９から順に、一対の腕部４１の拡開方向に直交する方向に所定幅を有する板状片部５１と、板状片部５１より幅広の幅広部５３と、生体組織を挟み込み可能な組織把持部５５とを備える。一対の腕部４１は、クリップ本体３５の材料が有するバネ性によって、互いに拡開するように付勢されている。一対の腕部４１には、板状片部５１から次第に幅広に形成された幅広部５３と、幅広部５３と板状片部５１の間に形成された段部５７と、幅広部５３の先端側に形成された組織把持部５５を備える。
【００１９】
一対の腕部４１は、板状片部５１の基端部３９側に設けられる第１屈曲点４１ａで外側に拡開するよう屈曲され、板状片部５１の中間位置に設けられる第２屈曲点４１ｂで内側に屈曲されている。そして更に、幅広部５３の先端側の第３屈曲点４１ｃで内側に屈曲されて組織把持部５５を形成している。
【００２０】
一対の組織把持部５５は、クリップ本体３５の有するばね性によって一対の腕部４１が開成しているときには、互いに大きく離間して一対の組織把持部５５間に挟持間隙７３を形成し、一対の腕部４１が閉成すると、先端同士が互いに当接して生体組織を挟み込むことができる。なお、組織把持部５５の先端は、図に示すように直線状であってもよく、また確実に生体組織を挟み込むことができるように、互いに噛合する凹凸形状に形成されてもよい。
【００２１】
＜締付リング＞
図５（Ａ）は図３のＡ‐Ａ線断面図、（Ｂ）はＢ‐Ｂ線断面図である。図３、図５（Ａ），（Ｂ）に示すように、締付リング３７は、中空の円筒部６１と、一対のクリップ当接部６３と、一対のクリップ抜け止め片６５とを備える。
【００２２】
締付リング３７は、クリップ本体３５の基端部３９が筒状体内部に挿入されることで、一対の腕部４１を閉成する。一対のクリップ当接部６３及び一対のクリップ抜け止め片６５は、それぞれ円筒部６１の一端部から軸方向に突設する各一対の突部を、締付リング３７の径方向内側に折り曲げて形成している。クリップ抜け止め片６５は、締付リング３７のクリップ本体挿入側の端部からクリップ本体３５の挿入方向に向けてリング内側に傾斜して延設されている。一対のクリップ当接部６３同士、及び一対のクリップ抜け止め片６５同士は、互いに１８０°異なる周位置に配置されており、クリップ当接部６３とクリップ抜け止め片６５とは、互いに９０°異なる周位置に形成されている。
【００２３】
一対のクリップ当接部６３は、円筒部６１の一端部から突設された突部を折り曲げて、締付リング３７の軸と平行な平坦面を有する。クリップ当接部６３の両脇側には、締付リング３７の径方向内側に向けて突出する一対のガイド片６９が形成されている。一対のガイド片６９の間隔は、クリップ本体３５の板状片部５１の幅Ｗ１（図４参照）より大きく、幅広部５３の幅Ｗ２より小さい幅に設定されている。
【００２４】
これにより、クリップ本体３５が締付リング３７に挿入される際、クリップ当接部６３の平坦面が腕部４１の両外側面に当接してクリップ本体３５をガイドし、締付リング３７の中心軸に対するクリップ本体３５の回転を規制すると共に、幅広部５３と板状片部５１との段部５７が一対のガイド片６９に当接して、締付リング３７内へのクリップ本体３５の挿入長さを制限する。
【００２５】
また、クリップ本体３５は、基端部３９側から締付リング３７内に挿入されると、クリップ当接部６３の平坦面によって一対の腕部４１の両外側面が押圧されて、腕部４１を閉成する。なお、腕部４１の両外側面が当接するクリップ当接部６３の平坦面は、締付リング３７の中心軸に対するクリップ本体３５の回転を規制可能であれば特に平坦面に限定されず、例えば、腕部４１の両外側面に点接触する複数の突起部や、線接触する突起部とすることもできる。
【００２６】
一対のクリップ抜け止め片６５は、円筒部６１の一端部に設けられ、締付リング３７のクリップ本体挿入側の端部から、クリップ本体３５の挿入方向前方、締付リング３７の径方向内側に傾斜して断面略Ｖ字型に延設されている。一対のクリップ抜け止め片６５は、締付リング３７に挿入されるクリップ本体３５の係止爪４３（図３参照）に係止され、一旦挿入されたクリップ本体３５が締付リング３７から抜け出ることを防止する。
【００２７】
＜クリップユニットと操作ワイヤとの接続＞
上記構成のクリップ本体３５と締付リング３７は、締付リング３７の内部にクリップ本体３５が挿入されることでクリップユニット１３となる。そして、クリップユニット１３は、クリップ操作装置１１（図１参照）の外シース部材１９内に複数装填され、先頭のクリップユニット１３が操作ワイヤ２３によって係止される。図６（Ａ）〜（Ｄ）に先頭のクリップユニット１３のクリップ操作装置への組み付け手順を示した。なお、図中、クリップ操作装置は省略して示している。
【００２８】
まず、図６（Ａ）に示すように、操作ワイヤ２３の先端に形成されるループ部７１を締付リング３７に挿通し、クリップ本体３５の係止爪４３を操作ワイヤ２３のループ部７１内に通した状態で、図６（Ｂ）に示すように、クリップ本体３５を基端部３９側から締付リング３７内に挿入する。すると、係止爪４３は、一対の抜け止め片６５に当接して、締付リング３７の径方向内側へ弾性変形して抜け止め片６５を乗り越える。そして、一対の係止爪４３は、クリップ抜け止め片６５を通過すると、バネ力で弾性復帰して先端部が締付リング３７の内周面３７ａに当接する。これにより、係止爪４３は、クリップ抜け止め片６５に内側から係止されて、締付リング３７からの抜け出しが防止される。詳細は後述するが、本構成の結紮装置は、複数のクリップユニット１３が直列に外シース部材１９内に装填される。
【００２９】
ここで、図６（Ｃ）に示すように、操作ワイヤ２３をクリップ本体３５の挿入方向（図中右方向）に牽引すると、ループ部７１は、締付リング３７の抜け止め片６５と、クリップ本体３５の抜け止め部４５の傾斜面４５ａとによって案内され、係止爪４３の内側面に当接する。そして、図６（Ｄ）に示すように、係止爪４３が、締付リング３７の径方向外方に弾性変形することで、操作ワイヤ２３のループ部７１が、係止爪４３と、抜け止め部４５と、基端部３９の幅方向端面とによって画成される隙間４７に挿入されて、操作ワイヤ２３が係止爪４３と係止する。
【００３０】
操作ワイヤ２３のループ部７１は、係止爪４３が弾性変形することで隙間４７に挿入されるので、一度、隙間４７に挿入すれば、係止爪４３が変形しない限り隙間４７から外れることはない。これにより、クリップユニット１３がクリップ操作装置１１に組み付けられる。なお、操作ワイヤ２３は、図示例ではクリップ本体３５の片側（図中上側）のみに係止しているが、２本の操作ワイヤ２３によりクリップ本体３５の両側（図中上下）に係止する構成としてもよい。
【００３１】
＜結紮装置による基本的な結紮手順＞
上記のようにクリップ操作装置１１に組み付けられたクリップユニット１３は、図７（Ａ）に示すように、導入管である外シース部材１９を前方に繰り出すことで、外シース部材１９の遠位側先端部に収容される。これは、図１に示す外シース接続体２５を操作部本体２７から遠ざけた位置で固定した状態である。このとき、クリップユニット１３の基端側は、内シース部材２１の遠位側先端に当接する。また、クリップ本体３５の一対の腕部４１は、繰り出された外シース部材１９の内周面に当接しており、互いに接近する方向に弾性変形した状態で外シース部材１９内に収容される。このようにクリップユニット１３の外側を外シース部材１９で覆った状態で、結紮装置１００の挿入部１５を、予め体腔内に挿入された図示しない内視鏡の鉗子孔から体腔内に挿入する。そして、内視鏡により体腔内を観察しながら、挿入部１５の先端を生体組織の結紮対象部位まで導く。
【００３２】
次いで、先頭に位置するクリップが露出する位置まで図１に示す外シース接続体２５を操作部本体２７側に移動させた状態で固定すると、図７（Ｂ）に示すように、外シース部材１９内を相対的に移動する内シース部材２１に押圧されてクリップユニット１３が前方（遠位端側）へ移動し、クリップ本体３５の一対の腕部４１が外シース部材１９から突出する。一対の腕部４１は、外シース部材１９による拘束から開放されるので、クリップ本体３５のバネ力により拡開し、組織把持部５５、５５同士の間に挟持間隙７３が形成される。この状態で、挟持間隙７３に所望の生体組織が配置されるようにクリップ本体３５を位置決めする。
【００３３】
そして、組織把持部の位置が最適となった状態で、図１に示すスライダー２９を指掛けリング３３に近づける方向に移動して操作ワイヤ２３を内シース部材２１内に引き込むことで、操作ワイヤ２３を内シースに対して相対的に牽引する。すると、図７（Ｃ）に示すように、操作ワイヤ２３のループ部７１が係止爪４３を牽引して、クリップ本体３５が締付リング３７内に引き込まれる。このとき、締付リング３７のクリップ当接部６３の平坦面に当接している一対の腕部４１は、クリップ当接部６３によって図中実線で示すように閉成する。
【００３４】
また、図１に示すスライダー２９を指掛けリング３３から離間する方向に移動して、操作ワイヤ２３を内シースに対して相対的に繰り出すと、クリップ本体３５が締付リング３７から押し出され、クリップ当接部６３の平坦面による一対の腕部４１の拘束が開放されるので、図中破線で示すように、一対の腕部４１が拡開する。
【００３５】
即ち、内シースに対して操作ワイヤ２３を相対的に牽引することにより一対の腕部４１が閉成し、相対的に繰り出すことにより一対の腕部４１が開成する。なお、上記の操作中において、腕部４１の両外側面がクリップ当接部６３の平坦面に当接しているので、クリップ本体３５は、締付リング３７の中心軸に対して回転することなく締付リング３７から出没し、一対の腕部４１が安定して開閉する。
【００３６】
上記の閉成、開成動作により、生体組織の掴み直しを簡単な操作で行える。即ち、操作部本体２７と指掛けリング３３だけの操作で掴み直しが可能となり、術者の操作を簡単にできる。
【００３７】
＜クリップユニットの連発式構成＞
上記構成のクリップユニットは、外シース部材内に直列に複数装填される。以下、これら複数のクリップユニットの相互関係について詳細に説明する。
図８（Ａ）は外シース部材内に複数のクリップユニットが装填された結紮装置の垂直断面図、（Ｂ）は水平断面図、図９は外シース部材を除いて示す結紮装置の要部斜視図である。なお、以降の説明では、図１から図７に示した部材と同一の部材には同一の符号を付し、重複する説明は省略する。
【００３８】
図８（Ａ），（Ｂ）及び図９に示すように、本構成の結紮装置１００は、クリップ本体３５及び締付リング３７からなる複数のクリップユニット１３が、外シース部材１９内に一列に整列した状態で挿入されている。各クリップユニット１３は、クリップ本体３５の係止爪４３が操作ワイヤ２３のループ部７１に挟まれることにより、外シース部材１９内における回転位置が規制されている。図示例では、全クリップユニット１３が同一の回転姿勢で直列に外シース部材１９内に装填されている。
【００３９】
操作ワイヤ２３は、複数の締付リング３７それぞれに挿通されており、操作ワイヤ２３のループ部７１は、少なくとも一列に整列配置された複数のクリップユニット１３の長さ分の全長を有している。ループ部７１の先端は、外シース部材１９の遠位端に位置するクリップユニット１３Ａの、前述の図３に示すクリップ本体３５の係止爪４３、抜け止め部４５、及び基端部３９の幅方向端面によって画成される隙間４７に挿通されている。即ち、操作ワイヤ２３は、先頭のクリップユニット１３Ａの係止爪４３に係止されている。また、後方のクリップユニット１３Ｂ，１３Ｃ，１３Ｄの各係止爪４３は、ループ部７１内に入り込んだ状態で締付リング３７の内周面３７ａに先端が当接している。
【００４０】
一列に整列配置される各クリップユニット１３Ａ，１３Ｂ，１３Ｃ，１３Ｄのクリップ本体３５のそれぞれ一対の腕部は、後方に位置するクリップ本体３５の一対の腕部４１が、隣接して前方に位置する締付リング３７の中に収容されている。これにより、結紮装置１００の挿入部１５を体腔内に導入する際、各締付リング３７が、挿入動作に伴って生じる外力を受けて、クリップ本体３５に作用することを防いでいる。従って、挿入部１５が湾曲して、各締付リング３７同士が屈曲された状態で体腔内に導入されても、クリップ本体３５が締付リング３７により保護され、クリップ本体３５が損傷を受けることを防止できる。
【００４１】
また、複数のクリップユニット１３Ａ，１３Ｂ，１３Ｃ，１３Ｄは同一の回転姿勢で整列配置されているため、操作ワイヤ２３のループ部７１は、先頭のクリップユニット１３Ａとの係合が解除された後、後方のクリップユニット１３Ｂの係止爪４３に係止させることができる。同様にして、後方のクリップユニット１３Ｃ，１３Ｄに対しても、順次にループ部７１を係止爪４３に係止させることができ、各クリップ本体３５を連続して繰り出して行う連続結紮が可能となる。
【００４２】
＜クリップユニットの連発式繰り出し手順＞
ここで、上記構成の結紮装置によるクリップユニットの連発式繰り出し手順について説明する。
図１０（Ａ）〜（Ｆ）は、結紮装置による連発式の結紮手順を示す概略斜視図である。まず、予め体腔内に挿入された内視鏡のチャンネルを介して挿入部１５を体腔内に導入し、内視鏡により体腔内を観察しながら、挿入部１５の先端を生体組織の結紮対象部位に位置させる。その後、図１０（Ａ）に示すように、外シース部材（図示略）の先頭に位置するクリップユニット１３Ａの一対の腕部４１を開成する。なお、腕部４１の開成及び閉成のための操作は前述と同様であるので、ここではその説明を省略する。
【００４３】
次いで、図１０（Ｂ）に示すように、操作ワイヤ２３を内シース部材に対して牽引し、操作ワイヤ２３のループ部７１が係止された先頭のクリップユニット１３Ａの係止爪４３を介して、クリップユニット１３Ａのクリップ本体３５を締付リング３７内に引き込む。これにより、クリップユニット１３Ａの一対の腕部４１は、締付リング３７のクリップ当接部６３で案内されて閉成し、組織把持部５５、５５間に生体組織８１が把持される。この状態においては、図１１に示すように、クリップユニット１３Ａのクリップ本体３５の基端部３９は、後方のクリップユニット１３Ｂのクリップ本体３５の腕部４１内に挿入される。
【００４４】
そのため、図１２に示すように、クリップユニット１３Ａのクリップ本体３５に対する腕部４１拡開方向の基端部３９の最大幅ＷＦは、締付リング３７の内周面３７ａに弾性付勢されて当接している後方のクリップユニット１３Ｂのクリップ本体３５の一対の腕部４１（組織把持部５５）の開き幅ＷＲより小さく設定されている。これにより、クリップユニット１３Ａのクリップ本体３５を締付リング３７内に引き込むと、クリップユニット１３Ａのクリップ本体３５の基端部３９は、後方のクリップユニット１３Ｂのクリップ本体３５の腕部４１内に重なり合って挿入される。
【００４５】
このように構成することで、締付リング３７の軸方向長さを短縮でき、一列に整列する各クリップユニット１３Ａ，１３Ｂ，１３Ｃ，１３Ｄの収容された挿入部１５が、容易に屈曲可能となって柔軟性が向上し、体腔内に挿入する際の湾曲操作性、体腔内管路への形状追従性が向上する。また、挿入部１５の柔軟性が向上することで、クリッピングの際の結紮方向をより適正に調整できる。更に、クリップユニットの全長寸法が短くなるので、クリップ施術後の手技に制約を与えにくい構成にできる。
【００４６】
図１０（Ｂ）に示すように操作ワイヤ２３を牽引すると、図１３に示す、先頭のクリップユニット１３Ａのクリップ本体３５における、腕部４１の幅広部５３と板状片部５１との間の段部５７が、それぞれ一対のガイド片６９に当接して、クリップ本体３５の後方への移動が制限される。この状態から図１０（Ｃ）に示すように操作ワイヤ２３を更に牽引すると、先頭のクリップ本体３５の係止爪４３が、操作ワイヤ２３の牽引方向に塑性変形を開始し、図１０（Ｄ）に示すように、係止爪４３が大きく塑性変形して係止爪４３とループ部７１とが係止解除される。このとき、先頭のクリップ本体３５の組織把持部５５は、生体組織８１の結紮を保持している。
【００４７】
このように、本構成の結紮装置１００は、操作ワイヤ２３とクリップ本体３５との分離が、部材の破断によらず、係止爪４３の塑性変形によって実現されるので、破断片の発生が皆無であり、破断片による障害が完全に防止される。
【００４８】
引き続き操作ワイヤ２３が牽引されると、図１０（Ｅ）に示すように、先頭のクリップ本体３５から係止解除されたループ部７１は、隣接する後方に配置されたクリップ本体３５の抜け止め部４５の傾斜面４５ａに案内されて、締付リング３７の径方向外方に移動して係止爪４３の内面に当接する。
【００４９】
そして、図１０（Ｆ）に示すように、操作ワイヤ２３の牽引により係止爪４３を僅かに弾性変形させることで、操作ワイヤ２３のループ部７１が、係止爪４３、抜け止め部４５、及び基端部３９の幅方向端面によって画成される隙間４７に入り込む。これにより、次段のクリップユニット１３Ｂのクリップ本体３５の係止爪４３と操作ワイヤ２３が自動的に係止され、次の生体組織結紮の準備が完了する。また、クリップユニット１３Ａは、結紮装置１００から分離して、生体組織を結紮したまま体腔内に留置される。
【００５０】
上記のように、本構成の結紮装置１００によれば、生体組織の結紮終了の都度、結紮装置１００の挿入部１５を体腔外に抜き出すことなく、体腔内に挿入したまま連続して複数箇所の生体組織を結紮することができる。そのため、効率的な結紮が可能となり、患者への負担を軽減することができる。
【００５１】
なお、上記の説明では、操作ワイヤ２３の牽引と繰り出しにより一対の腕部４１を開閉するように説明したが、図１４に示すように、内シース部材２１に対して外シース部材１９を前進、後退させることで、一対の腕部４１を開閉することもできる。具体的には、図１４（Ａ）に示すように、外シース部材１９内に収容されて閉成している一対の腕部４１は、外シース部材１９を後退させることで、図１４（Ｂ）に示すように、外シース部材１９による拘束が解除されて開成し、一対の腕部４１間に挟持間隙７３が形成される。
【００５２】
次いで、図１４（Ｃ）に示すように、挟持間隙７３を生体組織８１に位置させた後、外シース部材１９を前進させると、一対の腕部４１の外側面が外シース部材１９の内周面に当接して閉成し、一対の腕部４１が生体組織８１を狭持する。このように、外シース部材１９を前進、後退させることにより、一対の腕部４１を開閉させて生体組織８１を仮止めすることができる。そして、対象とする生体組織８１が一対の腕部４１で狭持されたことを確認した後、図１０で既に説明したように操作ワイヤ２３を牽引して生体組織８１を結紮する。
【００５３】
＜締付リングの他の構成例＞
図１５はクリップユニットの外観斜視図、図１６は図１５のＣ‐Ｃ線断面図である。
図１５及び図１６に示すように、本構成例の締付リング３７は、円筒部６１に軸方向に沿って延びる４本のスリット４８が、円筒部６１の内外を貫通して形成されている。４本のスリット４８は、締付リング３７内に挿入されたクリップ本体３５の一対の腕部４１の幅方向外側角部４１ｄに対応する位置に設けられている。これにより、一対の腕部４１は、締付リング３７の内周面３７ａによって拘束されることなく、幅方向外側角部４１ｄがスリット４８内に入り込み、スリット４８が設けられない場合と比較して、一対の腕部４１が大きく開口する。即ち、一対の腕部４１の開き幅ＷＲ（図１２参照）が大きくなるので、前段のクリップ本体３５の基端部３９と、後段のクリップ本体の一対の腕部４１との干渉が少なくなり、腕部内での相互の重なり長さを、更に稼ぐことができる。従って、締付リング３７にスリット４８を設けることで、締付リング３７の軸方向長さをより短縮することができる。
【００５４】
また、クリップ本体３５は、一対の腕部４１が締付リング３７のクリップ当接部６３によってガイドされているので、締付リング３７の中心軸に対するクリップ本体３５の回転が規制されている。更に、一対の腕部４１が、その前段に位置する締付リング３７のスリット４８に係合するので、前段のクリップユニット１３Ａと、隣接する後方に配置された後段のクリップユニット１３Ｂとの相対回転位置が一定に規制される。これにより、前段のクリップ本体３５の基端部３９は、確実に後段のクリップ本体３５の一対の腕部４１の間に挿入される。
【００５５】
このように構成することで、締付リング３７の軸方向長さをより短縮でき、一列に整列する各クリップユニットの収容された挿入部１５が、容易に屈曲可能となって柔軟性が向上し、体腔内に挿入する際の湾曲操作性、体腔内管路への形状追従性が向上する。また、挿入部１５を体腔内に導入する際に生じる力は、各締付リング３７によって受けられてクリップ本体３５に作用することがない。従って、挿入部１５が湾曲して、各締付リング３７同士が屈曲された状態で体腔内に導入されても、クリップ本体３５が締付リング３７により保護され、クリップ本体３５が損傷を受けることを防止できる。
【００５６】
＜隣接するクリップユニット同士の接続構造＞
図１７は複数のクリップユニットが直線状に配列された状態を示す平面図、図１８は複数のクリップユニットが相互に屈曲して湾曲した状態に配列された状態を示す平面図である。本構成のクリップユニットの構成では、隣接する締付リング３７の端面同士の接合面３７ｂ，３７ｃが、締付リング３７の軸方向垂直視（図１７の紙面垂直方向視）でそれぞれ円弧形状に形成されている。締付リング３７の端面同士の接合面３７ｂ，３７ｃを軸方向垂直視で円弧形状にすることで、締付リング３７をその軸方向から傾斜した状態で配列させることができる。つまり、これら円弧形状にされた接合面３７ｂ，３７ｃによって、隣接する締付リング３７同士をその軸方向に平行な面内で屈曲自在に接続できる。
【００５７】
締付リング３７の接合面３７ｂ，３７ｃは、少なくとも１８０°異なる周位置で、締付リング３７の屈曲によらずに常時当接する当接領域Ａ１を有する。また、締付リング３７が直線状に配列された状態では当接し、屈曲すると当接しなくなる当接外れ領域Ａ２を有する。
【００５８】
少なくとも、上記の当接領域Ａ１における接合面３７ｂ，３７ｃは、締付リング３７の軸方向垂直視で、それぞれ曲率の等しい円弧形状に形成されている。なお、図示例のクリップユニットに対しては、当接領域Ａ１において、軸方向前側の接合面３７ｂが凹面で、軸方向後側の接合面３７ｃが凸面となっているが、これら接合面３７ｂ、３７ｃの凹凸は、逆であってもよい。
【００５９】
また、締付リング３７の接合面３７ｂ，３７ｃには、その当接外れ領域Ａ２の凹面になる側に、予め締付リング３７の端部を切り欠いた逃げ部を形成してもよい。逃げ部は、対面する接合面３７ｂに当接することがなく、隣接する締付リング３７が屈曲した接続状態となったとき、締付リング３７の側面同士の干渉を確実に防止できる。
【００６０】
これにより、締付リング３７同士は、当接領域Ａ１において、接合面３７ｂの凹面と、接合面３７ｃの凸面とが常時当接して、締付リング３７の軸方向に平行な面内において屈曲自在となる。また、常時当接する当接領域Ａ１によって締付リング３７の圧縮剛性を確保しつつ屈曲性を持たせることができる。これにより、体腔内に挿入する際の湾曲操作性、体腔内管路への形状追従性が向上し、患者への負担が軽減する。なお、各締付リング３７の接合面３７ｂ、３７ｃは、上記した軸方向垂直視で円弧形状とする構成以外にも、例えば球面形状としてもよい。この場合、隣接する締付リング３７同士は、任意の方向への屈曲が可能となる。
【００６１】
上記の一方向に屈曲自在としたクリップユニットの接続構成の他、異なる二方向に屈曲自在にすることもできる。
図１９は締付リングの屈曲方向を交互に９０度異ならせて配列したクリップユニットの斜視図である。本構成例のクリップユニットは、隣接する締付リング３７の屈曲中心軸Ｃが、クリップユニットの配列方向に沿って交互に９０度異ならせてある。即ち、隣接する締付リング３７の端面同士の接合面３７ｂ，３７ｃの当接領域Ａ１が、交互に９０度異ならせてある。
【００６２】
これにより、連結されたクリップユニットは、隣接する締付リング３７が直交二方向に屈曲可能となり、その結果、クリップユニットの屈曲性が更に向上して、体腔内に挿入する際の湾曲操作性、体腔内管路への形状追従性が更に向上する。
【００６３】
＜クリップユニットの他の構成例＞
次に、クリップユニットの他の構成例について説明する。図２０は複数のクリップユニットが腕部の拡開方向を互いに９０°ずつ異ならせて一列に整列させた状態を示す斜視図、図２１はクリップユニットの分解斜視図、図２２（Ａ）はクリップ本体の平面図、（Ｂ）は正面図、（Ｃ）は側面図である。
【００６４】
図２０に示すように、このクリップユニットの構成においては、クリップ本体３６がそれぞれ締付リング４０に挿入されてなる複数のクリップユニット４２が、軸方向に交互に配列されて、図示しない外シース部材１９内で直列に整列されている。整列されたクリップ本体３６は、それぞれ腕部４１の拡開方向が９０°ずつ異なっている。また、締付リング４０も９０°回転させて配置されている。
【００６５】
クリップ本体３６は、図２１及び図２２（Ａ），（Ｂ），（Ｃ）に示すように、締付リング４０に挿入される側の基端部３９と、この基端部３９から延設される一対の腕部４１とを有し、ステンレス等のバネ性を有する帯状の金属板材を略Ｕ字型に折り曲げて形成される。
【００６６】
係止爪４４及び抜け止め部４６からなるクリップ本体３６の一対のワイヤ係止手段は、基端部３９の腕部拡開方向に直交する基端部３９の幅方向両脇側から延設される平行部５０が、クリップ本体３６の板厚方向（腕部拡開方向）に折り曲げられて、基端部３９の対角位置に配置されている。
【００６７】
係止爪４４は、抜け止め部４６より基端部３９の底部３９ａ側の位置から腕部４１に向けて外側へ拡がるように傾斜して延設されている。この係止爪４４の塑性変形に要する力は、クリップ本体３６を締付リング４０内に引き込む力より大きくなる程度に狭幅にされた板状体である。
【００６８】
抜け止め部４６は、係止爪４４より腕部４１側に離間した位置から係止爪４４に向けて突設される突起部であり、係止爪４４に向けた突出高さがクリップ本体３６の締付リング４０への挿入方向に向けて漸増する傾斜面４６ａを有する。これら係止爪４４と抜け止め部４６は、基端部３９の幅方向側端部から折り曲げて立設される平行部５０によって形成されている。これにより、図２１及び図２２（Ａ）示すように、係止爪４４と、抜け止め部４６と、基端部３９の平行部５０とによって、操作ワイヤ２３のループ部７１を係止する隙間４７が画成される。
【００６９】
係止爪４４を塑性変形させるのに要する力は、クリップ本体３６を締付リング４０内に引き込む力より大きく設定されている。これにより、クリップ本体３６は、図２０に示す操作ワイヤ２３のループ部７１が係止爪４４に係止された状態で操作ワイヤ２３が牽引されることで、係止爪４４が塑性変形することなく、締付リング４０内に引き込み可能となる。
【００７０】
図２１に示すように、締付リング４０は、中空の円筒部６１と、一対のクリップ当接部６３とを備える。一対のクリップ当接部６３は、円筒部６１の一端部から突設された突部を折り曲げて、締付リング４０の軸と平行な平坦面を有し、この平坦面が腕部４１の両外側面に当接してクリップ本体３６をガイドし、締付リング４０の中心軸に対するクリップ本体３６の回転を規制する。
【００７１】
また、クリップ当接部６３の両脇側には、締付リング４０の径方向内側に向けて突出する一対のガイド片６９が形成されている。クリップ本体３６が締付リング４０に挿入されるとき、係止爪４４が当接する対角位置にあるガイド片６９Ａは、クリップ本体３６の挿入方向に向けてリング内側に傾斜して形成されている。これにより、クリップ本体３６が締付リング４０に挿入されると、係止爪４４がガイド片６９Ａの内側に当接して、クリップ本体３６が締付リング４０から抜け出すことを防止する。また、一対のガイド片６９の間隔は、幅広部５３の幅Ｗ２より小さく（図４と同様）、幅広部５３と板状片部５１との段部５７が一対のガイド片６９に当接して、締付リング４０内へのクリップ本体３６の挿入長さを制限する。
【００７２】
そして、操作ワイヤ２３が牽引されて、クリップ本体３６が締付リング４０内へ引き込まれ、クリップ本体３６の段部５７が締付リング４０（一対のガイド片６９）に当接すると、係止爪４４の塑性変形が始まり、操作ワイヤ２３のループ部７１と係止爪４４とが係止解除される。これにより、クリップユニット４２が他のクリップユニットから分離できるようになる。
【００７３】
係止爪４４は、クリップ本体３６が締付リング４０に挿入されているとき、締付リング４０の内周面に弾性付勢されて当接する。また、抜け止め部４６の傾斜面４６ａは、操作ワイヤ２３が牽引されるとき、ループ部７１を誘導して確実に操作ワイヤ係止用の隙間４７に挿入する。
その他の構成及び効果は、前述の構成例と同様であるので説明を省略する。
【００７４】
このように、本発明は上記の構成例に限定されるものではなく、明細書の記載、並びに周知の技術に基づいて、当業者が変更、応用することも本発明の予定するところであり、保護を求める範囲に含まれる。
【００７５】
以上の通り、本明細書には次の事項が開示されている。
（１）  生体組織を結紮する結紮装置であって、
可撓性を有する管状の外シース部材と、
前記外シース部材内に進退自在に設けられ、先端に当接面を有する管状の内シース部材と、
前記内シース部材内に進退自在に設けられた操作ワイヤと、
前記外シース部材の遠位端内部で直列に複数配置されたクリップユニットと、
を備え、
前記クリップユニットは、互いに拡開付勢された一対の腕部、及び該腕部の基端を連結する基端部を有して生体組織を結紮するクリップ本体と、
前記クリップ本体の基端部が筒状体内部に挿入されて前記一対の腕部を閉成する締付リングと、を有し、
前記締付リングは、軸方向に沿って形成される複数のスリットを有し、
前記複数のクリップユニットのうち、前記外シース部材の遠位端側となる先頭クリップユニットに隣接する後方クリップユニットの前記クリップ本体の一対の腕部が、前記スリットに挿入されて、
前記先頭クリップユニットの前記クリップ本体の前記基端部が、該先頭クリップユニットに隣接する前記後方クリップユニットの前記クリップ本体の腕部内へ相互に重なり合って挿入される結紮装置。
この結紮装置によれば、先頭クリップユニットのクリップ本体の基端部が、先頭クリップユニットの締付リングのスリットに挿入される後方クリップユニットのクリップ本体の一対の腕部内へ相互に重なり合って挿入されるので、基端部を容易に腕部内へ挿入することができ、締付リングの軸方向長さを短縮できる。これにより、一列に整列する各クリップユニットが収容される挿入部が、容易に屈曲可能となって柔軟性が向上し、体腔内に挿入する際の湾曲操作性、体腔内管路への形状追従性が向上する。
【００７６】
（２）  （１）の結紮装置であって、
前記後方クリップユニットのクリップ本体の腕部を前記先頭クリップユニットの締付リングに挿入した状態で、
前記後方クリップユニットのクリップ本体における前記腕部の先端開口幅が、前記先頭クリップユニットのクリップ本体の基端部が挿通可能な長さにされた結紮装置。
この結紮装置によれば、後方のクリップ本体の腕部の先端開口幅が、先頭のクリップ本体の基端部より大きいので、基端部を確実に一対の腕部に重ね合わすことができ、締付リングの軸方向長さを短縮することができる。
【００７７】
（３）  （１）又は（２）の結紮装置であって、
前記複数のクリップユニットのうち、前記外シース部材の遠位端側となる先頭クリップユニットが前記操作ワイヤに接続され、該操作ワイヤの牽引により前記先頭クリップユニットとは反対側の末端クリップユニットが前記内シース部材の当接面に当接すると共に、隣接する前記締付リングの端面同士が互いに当接する結紮装置。
この結紮装置によれば、挿入部を体腔内に導入する際に生じる力は、端面同士が当接する各締付リングによって受けられてクリップ本体に作用することがないので、クリップ本体は締付リングにより保護され、損傷を受けることが防止される。
【００７８】
（４）  （１）〜（３）のいずれか１つの結紮装置であって、
前記操作ワイヤが先端にループ部を有し、
前記ワイヤ係止手段が、前記クリップ本体の基端部から前記締付リングの挿入方向後方に向けて外側へ傾斜して延設された係止爪と、
前記係止爪に掛けられた前記操作ワイヤのループ部が前記係止爪から抜け落ちることを防止する抜け止め部と、を有する結紮装置。
この結紮装置によれば、生体組織を結紮操作する際に、操作ワイヤの牽引、繰り出し操作によりクリップ本体と締付リングとの相対位置を変更できるため、クリップの開閉動作が自在に行え、組織の掴み直しが簡単な操作により行える。また、クリップ本体の係止爪の変形によりクリップ本体と操作ワイヤとが分離されるので、分離の際に破断片が生じず、破断片により生体組織へ影響を及ぼしたり、結紮操作に支障を生じたりする虞がない。
【００７９】
（５）  （１）〜（４）のいずれか１つの結紮装置であって、
前記クリップ本体の一対の腕部が、該腕部の拡開方向に直交する方向に所定幅を有する板状片で形成され、
前記締付リングが、該締付リング内に挿入される前記腕部の外側面に当接して前記クリップ本体の回転を規制する一対のクリップ当接部を有する結紮装置。
この結紮装置によれば、クリップ本体と締付リングとの回転位相を一定に維持することができ、生体組織を結紮する操作性を向上できる。
【００８０】
（６）  （５）の結紮装置であって、
前記締付リングのクリップ当接部が、前記クリップ本体の腕部の外側面に当接する平坦面を有する結紮装置。
この結紮装置によれば、一対の腕部がクリップ当接面の平坦面に当接するので、双方の接触面積が増加して安定した腕部の案内ができ、締付リングに対するクリップ本体の回転規制を確実に行い、一対の腕部の開閉動作を円滑に行うことができる。
【００８１】
（７）  （５）又は（６）の結紮装置であって、
前記クリップ本体の腕部が、該腕部の先端側に段部を有して前記所定幅より幅広に形成された先端幅広部を備え、
前記締付リングのクリップ当接部が、前記所定幅より広く、前記先端幅広部の幅より狭い間隔で、前記クリップ当接部から前記締付リング内側に向けて突設された一対のガイド片を有し、
前記一対のガイド片の間に前記クリップ本体の腕部がクリップ長手方向に進退自在に挿通されて、前記段部が前記ガイド片に当接する結紮装置。
この結紮装置によれば、クリップ本体が所定量だけ締付リング内に挿入されたとき、クリップ本体の腕部に形成した段部とガイド片とが当接することで、クリップ本体の締付リング内への挿入を制限することができる。
【００８２】
（８）  （１）から（７）のいずれか１つに記載の結紮装置に用いるクリップユニット。
このクリップユニットによれば、生体組織の掴み直しが可能であり、かつ複数のクリップ本体により生体組織を連続して結紮することができる。
【符号の説明】
【００８３】
１３，４２  クリップユニット
１９  外シース部材
２１  内シース部材
２３  操作ワイヤ
３５，３６  クリップ本体
３７，４０  締付リング
３７ｂ，３７ｃ  接合面（締付リングの端面）
３９  基端部
４１  腕部
４３，４４  係止爪（ワイヤ係止手段）
４５，４６  抜け止め部（ワイヤ係止手段）
４８  スリット
５３  幅広部（先端幅広部）
５７  段部
６３  クリップ当接部
６９  ガイド片
７１  ループ部
８１  生体組織
１００  結紮装置
ＷＲ  幅（腕部の先端開口幅）
【図１】
2012065835.tif 000003
【図２】
2012065835.tif 000004
【図３】
2012065835.tif 000005
【図４】
2012065835.tif 000006
【図５】
2012065835.tif 000007
【図６】
2012065835.tif 000008
【図７】
2012065835.tif 000009
【図８】
2012065835.tif 000010
【図９】
2012065835.tif 000011
【図１０】
2012065835.tif 000012
【図１１】
2012065835.tif 000013
【図１２】
2012065835.tif 000014
【図１３】
2012065835.tif 000015
【図１４】
2012065835.tif 000016
【図１５】
2012065835.tif 000017
【図１６】
2012065835.tif 000018
【図１７】
2012065835.tif 000019
【図１８】
2012065835.tif 000020
【図１９】
2012065835.tif 000021
【図２０】
2012065835.tif 000022
【図２１】
2012065835.tif 000023
【図２２】
2012065835.tif 000024